(57)【要約】【課題】ユニバーサル電源を簡易に構成し、コストダウンを図りつつ、堅牢性を高めること。【解決手段】入力された交流電圧を倍電圧整流又は全波整流するＡＣ／ＤＣコンバータ６１と、記録材上に形成された未定着のトナー像を該記録材に定着する定着装置１７と、を備え、交流電圧に応じた少なくとも２以上の種類の定着装置を装着することが可能な画像形成装置であって、交流電圧を検知する入力電圧検知回路７７と、定着装置１７の種類を検知し、定着装置１７の種類の検知結果と入力電圧検知回路７７による検知結果とに基づいて、倍電圧整流又は全波整流に切り替えるＣＰＵ２６と、を備える（Ｓ８２２〜Ｓ８２４）。【選択図】図７
2015203754.tif 000002
【特許請求の範囲】
【請求項１】
入力された交流電圧を倍電圧整流又は全波整流する整流手段を有する電源回路と、
画像形成手段により記録材に形成された未定着のトナー像を該記録材に定着する定着手段と、
を備え、
前記交流電圧に応じた少なくとも２以上の種類の定着手段を装着することが可能な画像形成装置であって、
前記交流電圧を検知する電圧検知手段と、
前記定着手段の種類を検知する種類検知手段と、
前記種類検知手段による検知結果と前記電圧検知手段による検知結果とに基づいて、前記整流手段を前記倍電圧整流又は前記全波整流に切り替える切替手段と、
を備えることを特徴とする画像形成装置。
【請求項２】
前記交流電圧には、１００Ｖ系の交流電圧と、２００Ｖ系の交流電圧があり、
前記定着手段の種類とは、前記１００Ｖ系の交流電圧に適合する種類と、前記２００Ｖ系に適合する種類であることを特徴とする請求項１に記載の画像形成装置。
【請求項３】
前記切替手段は、前記種類検知手段により前記定着手段が前記１００Ｖ系の交流電圧に適合した種類であることを検知し、且つ、前記電圧検知手段により前記交流電圧が前記１００Ｖ系であることを検知した場合に、前記整流手段を前記倍電圧整流に切り替えることを特徴とする請求項２に記載の画像形成装置。
【請求項４】
前記切替手段は、前記種類検知手段により前記定着手段が前記２００Ｖ系の交流電圧に適合した種類であることを検知し、且つ、前記電圧検知手段により前記交流電圧が前記２００Ｖ系であることを検知した場合に、前記整流手段を前記全波整流に切り替えることを特徴とする請求項２に記載の画像形成装置。
【請求項５】
前記切替手段は、前記種類検知手段による検知結果と、前記電圧検知手段による検知結果とで、交流電圧が一致しない場合には、前記整流手段を前記全波整流に切り替えることを特徴とする請求項２に記載の画像形成装置。
【請求項６】
前記定着手段が装着されているか否かを検知する装着検知手段を備え、
前記切替手段は、前記装着検知手段により前記定着手段が装着されていないことを検知した場合には、前記整流手段を前記全波整流に切り替えることを特徴とする請求項１に記載の画像形成装置。
【請求項７】
前記定着手段が装着されているか否かを検知する装着検知手段と、
前記種類検知手段により検知された定着手段の種類に関する情報を記憶する記憶手段と、
を備え、
前記種類検知手段は、前記装着検知手段により前記定着手段が装着されていないことを検知した場合には、前記記憶手段に記憶された前記情報に基づいて、定着手段の種類を検知することを特徴とする請求項１に記載の画像形成装置。
【請求項８】
前記記憶手段には、前記画像形成装置に装着された定着手段の中で最新の定着手段の種類に関する情報が記憶されていることを特徴とする請求項７に記載の画像形成装置。
【請求項９】
前記交流電圧を第一の直流電圧に変換する第一の変換手段と、
前記整流手段を有する前記電源回路であって、前記交流電圧を第二の直流電圧に変換する第二の変換手段と、
を備え、
前記切替手段は、前記第一の変換手段から電力を供給されており、
前記第二の変換手段は、前記種類検知手段及び前記電圧検知手段による検知が行われ、前記種類検知手段及び前記電圧検知手段の検知結果に基づき前記切替手段により前記整流手段が前記倍電圧整流又は前記全波整流に切り替えられた後に、前記交流電圧の供給が開始されることを特徴とする請求項１乃至８のいずれか１項に記載の画像形成装置。
【請求項１０】
前記整流手段を有する前記電源回路であって、前記交流電圧を第一の直流電圧に変換する第一の変換手段と、
前記第一の変換手段から出力された前記第一の直流電圧を第二の直流電圧に変換する第二の変換手段と、
を備え、
前記切替手段は、前記第二の変換手段から電力を供給されており、前記整流手段を前記全波整流に切り替えた後に、前記種類検知手段及び前記電圧検知手段による検知を行い、前記種類検知手段及び前記電圧検知手段の検知結果に基づき前記整流手段を前記倍電圧整流又は前記全波整流に切り替えることを特徴とする請求項１乃至８のいずれか１項に記載の画像形成装置。
【請求項１１】
前記電圧検知手段は、ダイオードと、反転増幅回路と、ピークホールド回路と、を有し、
前記交流電圧に応じた電圧を前記切替手段に出力することを特徴とする請求項１乃至１０のいずれか１項に記載の画像形成装置。
【発明の詳細な説明】
【技術分野】
【０００１】
本発明は、トナー像を記録材に定着させる定着装置（加熱装置）を備えた画像形成装置に関し、特に、ユニバーサル電源を有する画像形成装置に関する。
【背景技術】
【０００２】
電子写真方式が用いられた複写機、プリンタ等の画像形成装置においては、表面にトナー像が形成された記録材を加熱することによって、未定着画像を記録材に定着させる加熱式の定着装置が広く用いられている。加熱式の定着装置においては、商用交流電源の交流電圧を定着装置内の発熱体に供給する構成が多く使用されている。また、画像形成装置の電源回路部には、ＡＣ／ＤＣコンバータが備えられ、ＡＣ／ＤＣコンバータは入力された交流電圧を所望の直流電圧に変換し、画像形成装置内の制御部、駆動部等に供給することで画像形成動作を行っている。
【０００３】
電源回路部において、商用交流電源の電圧が１００Ｖ系又は２００Ｖ系のどちらにも対応できる電源（以下、ユニバーサル電源ともいう）の設計手段の一つとして、電源回路部に備えるＡＣ／ＤＣコンバータに倍電圧回路を用いる構成が知られている。例えば、特許文献１では、倍電圧回路を備え、入力電圧の検知結果に基づいて、倍電圧回路の切り替えと、定着装置の制御方式の切り替えを行う構成が開示されている。
【先行技術文献】
【特許文献】
【０００４】
【特許文献１】特開平０４−２２６４８０号公報
【発明の概要】
【発明が解決しようとする課題】
【０００５】
しかし、従来例のように倍電圧回路を用いたユニバーサル電源では次のような課題がある。倍電圧回路は、倍電圧回路とは別に備えた交流電圧の入力電圧検知回路を利用し、入力される交流電源の電圧値に応じて動作が切り替えられる。このため、入力電圧検知回路が何らかの原因によって入力電圧（１００Ｖ系／２００Ｖ系）を誤検知した場合は、入力電圧に対する倍電圧回路の切り替えを適切に行うことができなくなる。特に、交流電源の電圧が２００Ｖ系であるにも関わらず１００Ｖ系であると誤検知した場合、倍電圧整流回路の下流側に備えた平滑コンデンサに印加される電圧は２００Ｖ系電圧を２倍にした電圧となってしまう。従来例では、このような状況が発生しないようにするために、また、このような状況が発生しても上述した課題が発生しない構成にするために、次のような対応がなされている。即ち、入力電圧検知回路に大きな電圧が入力されてもよいように堅牢性を高める、又は、平滑コンデンサの定格電圧を高くするといった対応がなされている。このため、いずれの対策をした場合でも、回路の複雑化や、回路のコストアップという課題がある。
【０００６】
本発明は、このような状況のもとでなされたもので、ユニバーサル電源を簡易に構成し、コストダウンを図りつつ、堅牢性を高めることを目的とする。
【課題を解決するための手段】
【０００７】
上述した課題を解決するために、本発明は、以下の構成を備える。
【０００８】
（１）入力された交流電圧を倍電圧整流又は全波整流する整流手段を有する電源回路と、画像形成手段により記録材に形成された未定着のトナー像を該記録材に定着する定着手段と、を備え、前記交流電圧に応じた少なくとも２以上の種類の定着手段を装着することが可能な画像形成装置であって、前記交流電圧を検知する電圧検知手段と、前記定着手段の種類を検知する種類検知手段と、前記種類検知手段による検知結果と前記電圧検知手段による検知結果とに基づいて、前記整流手段を前記倍電圧整流又は前記全波整流に切り替える切替手段と、を備えることを特徴とする画像形成装置。
【発明の効果】
【０００９】
本発明によれば、ユニバーサル電源を簡易に構成し、コストダウンを図りつつ、堅牢性を高めることができる。
【図面の簡単な説明】
【００１０】
【図１】実施例１〜４の画像形成装置の概略図、定着装置及びセラミックヒータの概略図
【図２】実施例１〜４のセラミックヒータの駆動回路、スイッチング電源の回路ブロック図
【図３】実施例１〜３のＡＣ／ＤＣコンバータ６０の回路構成図、各部の波形図、実効電圧とＡＤ変換値の関係図
【図４】実施例１〜３のＡＣ／ＤＣコンバータ６１の回路構成図、倍電圧制御しないときの波形図
【図５】実施例１〜３のＡＣ／ＤＣコンバータ６１の回路構成図、倍電圧制御するときの波形図
【図６】実施例１のタイプ判別処理及び電圧検知処理を示すフローチャート
【図７】実施例１の倍電圧切り替え処理を示すフローチャート
【図８】実施例２のタイプ判別処理及び倍電圧切り替え処理を示すフローチャート
【図９】実施例３のタイプ判別処理を示すフローチャート
【図１０】実施例４のスイッチング電源の回路ブロック図、倍電圧切り替え処理を示すフローチャート
【発明を実施するための形態】
【００１１】
以下、本発明を実施するための形態を、実施例により図面を参照しながら詳しく説明する。
【実施例１】
【００１２】
［画像形成装置］
図１（ａ）に示すカラーの画像形成装置（以下、本体と称す）は、本体に対して着脱自在なプロセスカートリッジ５Ｙ、５Ｍ、５Ｃ、５Ｋを備えている。これら４個のプロセスカートリッジ５Ｙ、５Ｍ、５Ｃ、５Ｋは、同一構造であるが、異なる色、すなわち、イエロー（Ｙ）、マゼンタ（Ｍ）、シアン（Ｃ）、ブラック（Ｋ）のトナーによる画像を形成する点で相違している。以降、必要な場合を除き、Ｙ、Ｍ、Ｃ、Ｋの添え字は省略する。プロセスカートリッジ５は、それぞれトナー容器２３、像担持体である感光ドラム１、帯電ローラ２、現像ローラ３、ドラムクリーニングブレード４、廃トナー容器２４を有している。プロセスカートリッジ５の下方にはレーザユニット７が配置され、画像信号に基づく露光を感光ドラム１に対して行う。感光ドラム１は、帯電ローラ２によって所定の負極性の電位に帯電された後、レーザユニット７によってそれぞれ静電潜像が形成される。この静電潜像は現像ローラ３によって反転現像されて負極性のトナーが付着され、それぞれＹ、Ｍ、Ｃ、Ｋのトナー像が形成される。
【００１３】
中間転写ベルトユニットは、中間転写ベルト８、駆動ローラ９、二次転写対向ローラ１０から構成されている。また、各感光ドラム１に対向して、中間転写ベルト８の内側に一次転写ローラ６が配設されており、不図示の印加手段である電源により転写電圧が印加される構成となっている。画像形成動作が行われているときには、各感光ドラム１は時計回り方向（図中、矢印方向）に回転し、中間転写ベルト８は矢印Ａ方向に移動している。正極性の電圧が印加された一次転写ローラ６により、感光ドラム１Ｙ上のトナー像から順次、トナー像が中間転写ベルト８上に転写される。これにより、中間転写ベルト８上には、感光ドラム１Ｋ上のトナー像が転写されたときには４色のトナー像が重なったフルカラーのトナー像が形成される。中間転写ベルト８上のフルカラーのトナー像は、中間転写ベルト８の移動に伴い、二次転写ローラ１１まで搬送される。
【００１４】
給搬送装置１２は、記録材である記録紙Ｐを収納する給紙カセット１３内から記録紙Ｐを給紙する給紙ローラ１４と、給紙された記録紙Ｐを搬送する搬送ローラ対１５とを有している。そして、給搬送装置１２から搬送された記録紙Ｐは、レジストローラ対１６によって二次転写ローラ１１に搬送される。中間転写ベルト８から記録紙Ｐへの転写においては、二次転写ローラ１１に正極性の電圧を印加することにより、搬送された記録紙Ｐに、中間転写ベルト８上の４色のトナー像が転写される。未定着のトナー像が転写された記録紙Ｐは、定着手段である定着装置１７に搬送され、セラミックヒータ３０が内接された定着フィルム１８と加圧ローラ１９とによって加熱、加圧され、表面にトナー像が定着される。定着された記録紙Ｐは、排紙ローラ対２０によって排出される。一方、トナー像が転写された後に、感光ドラム１の表面に残ったトナーは、ドラムクリーニングブレード４によって除去される。また、記録紙Ｐへトナー像を転写した後に中間転写ベルト８上に残ったトナーは、転写ベルトクリーニングブレード２１によって除去され、除去されたトナーは、廃トナー回収容器２２へと回収される。
【００１５】
また、制御基板２５は、本体の制御を行うための電気回路が搭載された基板であり、制御基板２５にはＣＰＵ２６、ＲＯＭ２６ａ、ＲＡＭ２６ｂ、不揮発性メモリ２６ｃが搭載されている。ＣＰＵ２６は、記録紙Ｐの搬送に関する駆動源（不図示）やプロセスカートリッジ５の駆動源（不図示）の制御、画像形成動作に関する制御、更には故障検知に関する制御など、本体の動作を一括して制御している。また、スイッチング電源２７は、電源ケーブル２８から入力される交流電源の交流電圧を、本体で使用する直流電圧に変換し、制御基板２５など本体に供給している。
【００１６】
［定着装置］
図１（ｂ）は、定着装置１７の側面図である。定着装置１７は、一般的なフィルム加熱方式の定着装置であり、定着フィルム１８の内側には、セラミックヒータ３０と、その保持部材（不図示）があり、セラミックヒータ３０は加圧ローラ１９と対向して配置されている。定着フィルム１８は、例えば、耐熱性、強度性、耐久性等を有するＰＴＦＥ、ＰＦＡ等の円筒状のフィルムが用いられる。加圧ローラ１９は、芯金３１の外周にシリコーンゴム等の耐熱性弾性層３２をローラ上に同心一体に設けることにより構成された弾性ローラである。
【００１７】
本実施例のセラミックヒータ３０は、図１（ｃ）に示すように記録紙Ｐの搬送方向（図中、黒矢印）に直交する方向（以下、長手方向ともいう）に細長い部材である。セラミックヒータ３０は、例えば、窒化アルミニウム（ＡｌＮ）の基材３４上に、発熱体３５、導電部３６ａ、３６ｂ、電極部３７ａ、３７ｂがそれぞれパターン形成されている。また、発熱体３５は、電気絶縁層としてのガラス保護膜３８によって被覆されている。
【００１８】
本実施例の画像形成装置は、入力される交流電圧に応じた少なくとも２以上の種類の定着装置を装着することが可能となっている。本実施例では、本体に装着する定着装置１７は、画像形成装置が設置される地域の商用電源の交流電圧に応じた、１００Ｖ系と２００Ｖ系の２種類が準備されている。例えば、商用電源の交流電圧が１００Ｖ系である場合には、発熱体３５の抵抗値は、１０Ωとなっている。一方、商用電源の交流電圧が２００Ｖ系である場合には、発熱体３５の抵抗値は、４０Ωとなっている。また、セラミックヒータ３０の長手方向の中央付近には、セラミックヒータ３０の温度制御に用いられる温度検知手段であるサーミスタ３３が備えられている。
【００１９】
［定着装置の回路構成］
図２（ａ）は、セラミックヒータ３０の駆動回路及び定着装置１７の回路構成を示す図である。図２（ａ）において、交流電源４１のニュートラル（Ｎｅｕｔｒａｌ）側にはリレー４２が、ライブ（Ｌｉｖｅ）側にはリレー４３がそれぞれ接続されている。また、リレー４３には、サーモスイッチ４０、セラミックヒータ３０、双方向サイリスタ（以降、トライアックという）４４が接続されている。リレー４２、４３は、必要なときにセラミックヒータ３０への電力の供給ラインの遮断を行う。リレー４２、４３は、それぞれＣＰＵ２６のＰ１端子、Ｐ２端子から出力される駆動信号に基づいて、リレー駆動回路によって駆動されている。ここで、リレー４２の駆動回路は、抵抗４５、トランジスタ４６から構成されている。ＣＰＵ２６は、Ｐ１端子から例えばハイレベルの駆動信号を出力してトランジスタ４６をオンし、リレー４２を接続させ、ローレベルの駆動信号を出力してトランジスタ４６をオフし、リレー４２を切断させる。また、リレー４３の駆動回路は、抵抗５５、トランジスタ５６から構成されている。ＣＰＵ２６は、Ｐ２端子から例えばハイレベルの駆動信号を出力してトランジスタ５６をオンし、リレー４３を接続させ、ローレベルの駆動信号を出力してトランジスタ５６をオフし、リレー４３を切断させる。
【００２０】
セラミックヒータ３０への電力供給は、トライアック４４によりオン又はオフされている。ＣＰＵ２６は、Ｐ３端子から例えばハイレベルのヒータ駆動信号をトライアック駆動回路のトランジスタ４９へ出力することによりトランジスタ４９をオンし、フォトトライアックカプラ５０のＬＥＤを点灯させている。ここで、トライアック駆動回路は、抵抗４７、４８、トランジスタ４９から構成されている。フォトトライアックカプラ５０のＬＥＤが点灯することで、フォトトライアックカプラ５０がオンし、トライアック４４のバイアス抵抗５１、５２によりトライアック４４をオンさせている。ここで５３はトライアックのサージ保護用の部品である。
【００２１】
セラミックヒータ３０の温度は、サーミスタ３３が検知している。サーミスタ３３と抵抗５４により分圧されたアナログの電圧値は、ＣＰＵ２６のＰ４端子に温度情報として入力される。ＣＰＵ２６は、Ｐ４端子に入力された温度情報に基づいて、トライアック４４の駆動を制御する。これにより、ＣＰＵ２６は、セラミックヒータ３０の温度が一定となるように制御している。ゼロクロス検出部５７は、交流電源４１の交流電圧波形のゼロクロスポイントを検出し、ＣＰＵ２６のＰ５端子にゼロクロス信号として出力する。ＣＰＵ２６は、ゼロクロス検出部５７からＰ５端子に入力されたゼロクロス信号に同期させて、トライアック４４をオンするタイミングを決定することにより、トライアック４４の駆動制御を行っている。
【００２２】
また、サーモスイッチ４０は、交流電源４１と発熱体３５の間に接続された安全保護素子であり、セラミックヒータ３０の温度がサーモスイッチ４０の作動温度に達した場合に電力供給経路を遮断する。また、プルアップ抵抗３９は定着装置１７の接続検知用の抵抗であり、抵抗３９はＣＰＵ２６のＰ６端子及び定着装置１７内のグランド（ＧＮＤ）に接続されている。ＣＰＵ２６は、Ｐ６端子に入力された信号のレベルを確認することによって、本体に定着装置１７が装着されているか否かを判別することができる。具体的には、ＣＰＵ２６は、Ｐ６端子に入力された信号がローレベルであれば定着装置１７が装着されていると判断し、ハイレベルであれば定着装置１７が装着されていないと判断する。このように、ＣＰＵ２６は、定着装置１７が装着されているか否かを検知する装着検知手段として機能する。
【００２３】
前述の通り、本実施例の定着装置１７は、１００Ｖ系／２００Ｖ系で発熱体３５の抵抗値が異なる。このため、定着装置１７内の抵抗５８が実装されているか未実装かによって、定着装置１７が１００Ｖ系に適合したものか２００Ｖ系に適合したものかを判断する構成としている。なお、定着装置１７が１００Ｖ系、２００Ｖ系のいずれに適合しているかの判断を、以下、タイプ判別という。定着装置１７内の抵抗５８は、本体側に供えられたプルダウン抵抗５９と接続されており、抵抗５８、５９で分圧された電圧はＣＰＵ２６のＰ７端子に入力されている。本実施例の抵抗５８の抵抗値は１０ｋΩ、抵抗５９の抵抗値は１００ｋΩとしている。１００Ｖ系に適合した定着装置１７に抵抗５８を実装することで、ＣＰＵ２６のＰ７端子に入力される電圧のレベルは、Ｖｃｃ×０．９１［Ｖ］のハイレベルとなる。一方、２００Ｖ系に適合した定着装置１７では抵抗５８を実装しない（未実装にする）ことで、ＣＰＵ２６のＰ７端子に入力される電圧のレベルは、抵抗５９によりプルダウンされたローレベルとなる。このように、ＣＰＵ２６は、本体に装着されている定着装置１７が１００Ｖ系に適合した機種か２００Ｖ系に適合した機種か（定着装置のタイプ）を、Ｐ７端子に入力される電圧のレベルに基づいて判別することができる。即ち、ＣＰＵ２６は、定着装置１７の種類を検知する種類検知手段として機能する。なお、図２（ａ）に示す定着装置１７は抵抗５８が実装されており、ＣＰＵ２６のＰ７端子にはハイレベルの電圧が入力され、１００Ｖ系に適合した機種となっている。また、図２（ａ）中の電圧Ｖｃｃ、電圧Ｖｍは後述する。
【００２４】
［スイッチング電源］
次に、図２（ｂ）〜図５を用いて、本実施例のスイッチング電源２７の説明を行う。図２（ｂ）は本実施例のスイッチング電源２７のブロック図であり、交流電源４１に対し、２つのＡＣ／ＤＣコンバータ６０、６１を備えている。電源回路及び第一の変換手段であるＡＣ／ＤＣコンバータ６０は、交流電源４１から交流電圧が供給されている間、第一の直流電圧である電圧値Ｖｃｃ［Ｖ］となる直流電圧を生成している。ＡＣ／ＤＣコンバータ６０は、交流電源４１の電圧が１００Ｖ系／２００Ｖ系の両方に対応できるユニバーサルな電源回路となっている。本実施例では、ＡＣ／ＤＣコンバータ６０によって生成された電圧Ｖｃｃを、ＣＰＵ２６など本体制御系の動作に使用している。
【００２５】
一方、第二の変換手段であるＡＣ／ＤＣコンバータ６１は、倍電圧回路を備えた電源であり、第二の直流電圧である電圧値Ｖｍ［Ｖ］となる直流電圧を生成している。ＡＣ／ＤＣコンバータ６１は、ＣＰＵ２６によって倍電圧整流又は全波整流の切り替えが可能となっている。即ち、ＣＰＵ２６は切替手段として機能する。また、ＡＣ／ＤＣコンバータ６１は、ＣＰＵ２６によってＡＣ／ＤＣコンバータ６１の出力のオン又はオフが可能な電源回路となっている。本実施例では、ＡＣ／ＤＣコンバータ６１により生成された電圧Ｖｍを、画像形成動作に関わる、例えば、モータなどのアクチュエータ動作に使用している。
【００２６】
（ＡＣ／ＤＣコンバータ６０）
図３（ａ）は、ＡＣ／ＤＣコンバータ６０の具体的な回路構成を示している。図３（ａ）は、本実施例のＡＣ／ＤＣコンバータ６０の回路図であり、ＡＣ／ＤＣコンバータ６０は、一例として発振周波数が固定型のフライバック電源としている。交流電源４１から供給された交流電圧は、ダイオードブリッジ６２及び一次平滑コンデンサ６３によって整流、平滑され、概略一定の電圧Ｖｐとなる。この電圧Ｖｐは、トランス６５を介して電界効果トランジスタ（以下、ＦＥＴとする）６６に供給される。駆動回路６４がＦＥＴ６６をオン又はオフしてトランス６５の一次巻線６５ａに流れる電流を供給、遮断する動作（以下、スイッチング動作という）を制御することにより、トランス６５の二次巻線６５ｂにパルス電圧が誘起される。トランス６５の二次巻線６５ｂに誘起されたパルス電圧は、二次側整流ダイオード６７及び二次側平滑コンデンサ６８によって、整流、平滑され、所定の電圧Ｖｃｃとなり、負荷６９に供給される。ここで、上述したように、ＡＤ／ＤＣコンバータ６０の二次側に接続された負荷６９は、ＣＰＵ２６を含む本体制御系の負荷である。
【００２７】
二次側整流ダイオード６７のアノード端子には、電圧検知手段である入力電圧検知回路７７が接続されている。以下、図３（ａ）を用いて入力電圧検知回路７７の動作を説明する。入力電圧検知回路７７は、ダイオード７０、反転増幅回路、ピークホールド回路から構成されている。ここで、反転増幅回路は、抵抗７１、７２、オペアンプ７３により構成され、ピークホールド回路は、ダイオード７４、コンデンサ７５、抵抗７６により構成される。
【００２８】
図３（ｂ）は、ＦＥＴ６６のゲート端子の電圧波形（ゲート波形）、図３（ｃ）は、ＦＥＴ６６のオン／オフに応じた二次側整流ダイオード６７のアノード端子の電圧波形（アノード波形）を示している。また、図３（ｄ）は、入力電圧検知回路７７から出力される電圧Ｖｖｐの波形を示している。図３（ｂ）に示すＦＥＴ６６のゲート電圧がハイレベルのとき、ＦＥＴがオンされる。図３（ｃ）に示すように、二次側整流ダイオード６７のアノード端子の電圧は、ＦＥＴ６６がオンのときに振幅が−Ｖｌｏｗ［Ｖ］、ＦＥＴ６６がオフのときに振幅が（Ｖｃｃ＋Ｖｆ）［Ｖ］となる。ここで、Ｖｆは、二次側整流ダイオード６７の順方向の電圧である。二次側整流ダイオード６７のアノード端子の電圧の波形は、ダイオード７０によって負電圧部分が波形整形され、オペアンプ７３で構成される反転増幅回路に入力される。
【００２９】
図３（ｄ）には、反転増幅回路の出力を破線で示しており、反転増幅回路の出力はパルス波形となる。このとき、破線のハイレベルの電圧Ｖｖｐは、反転増幅回路のゲインをαとすると、次式（１）で表すことができる。
Ｖｖｐ＝α×Ｖｌｏｗ      ・・・（１）
更に、電圧Ｖｌｏｗは、一次平滑コンデンサ６３の端子電圧Ｖｐ、トランス６５の一次巻線６５ａの巻数Ｎ１、二次巻線６５ｂの巻数Ｎ２を用いて、次式（２）で表すことができる。
Ｖｌｏｗ＝Ｖｐ×Ｎ２／Ｎ１      ・・・（２）
また、交流電源４１の電圧（正弦波電圧）の実効値Ｖｉｎと、一次平滑コンデンサ６３の端子電圧Ｖｐの間には、概略次式（３）が成り立つ。
Ｖｐ＝√２×Ｖｉｎ      ・・・（３）
従って、次式（４）、（５）が成り立つ。
Ｖｖｐ＝√２×α×Ｖｉｎ×Ｎ２／Ｎ１      ・・・（４）
Ｖｉｎ＝Ｎ１×Ｖｖｐ／（√２×α×Ｎ２）      ・・・（５）
【００３０】
即ち、交流電源４１の電圧（正弦波電圧）の実効値Ｖｉｎは、反転増幅回路のハイレベルの電圧Ｖｖｐに比例することになる。図３（ｄ）に破線で示される反転増幅回路の出力パルスは、後段のピークホールド回路によって、概略Ｖｖｐの直流電圧に変換され、ＣＰＵ２６のＡ／Ｄポートへ入力される。即ち、入力電圧検知回路７７は、ＣＰＵ２６に電圧Ｖｖｐを出力する。ＣＰＵ２６は、入力された電圧Ｖｖｐを、次式（６）に基づいて例えば８ビットの分解能でアナログ値からデジタル値へ変換する（変換後の値をＡＤ変換値という）。
ＡＤ変換値＝Ｖｖｐ／Ｖｃｃ×２５５      ・・・（６）
即ち、電圧ＶｖｐのＡＤ変換値、入力電圧検知回路７７から出力された電圧Ｖｖｐ、反転増幅回路のゲインα、トランス６５の一次巻線６５ａの巻数Ｎ１、二次巻線６５ｂの巻数Ｎ２から、式（５）に基づき交流電源４１の実効値電圧Ｖｉｎを求めることができる。
【００３１】
本実施例では、１００Ｖ系／２００Ｖ系の交流電源４１の電圧の実効値Ｖｉｎを求めるために、入力電圧検知回路７７から出力される電圧Ｖｖｐに発生する最大電圧が、ＣＰＵ２６の電源電圧Ｖｃｃよりも低い値に設定する必要がある。本実施例において、Ｖｃｃ＝３．３［Ｖ］、Ｖｉｎの最大値を２６４［Ｖ］（２４０［Ｖ］＋１０％）、α×Ｎ２／Ｎ１の値を０．００８８として計算する。そうすると、交流電源４１の電圧の実効値Ｖｉｎ［Ｖ］とＣＰＵ２６のＡＤ変換後の結果であるＡＤ変換値［ｄｅｃ］との関係は、図３（ｅ）に示すようになる。
【００３２】
ここで、図３（ｅ）は、横軸を交流電源４１の電圧の実効値Ｖｉｎ［Ｖ］、縦軸をＣＰＵ２６のＡ／Ｄポートに入力された電圧Ｖｖｐの変換後のＡＤ変換値［ｄｅｃ］としたグラフである。図３（ｅ）より、交流電源４１が１００Ｖ系／２００Ｖ系のどちらかを判断する場合には、ＣＰＵ２６のＡＤ変換値で１５０［ｄｅｃ］を閾値として判別することが可能となる。即ち、ＣＰＵ２６は、ＡＤ変換値が１５０［ｄｅｃ］以下であれば交流電源４１は１００Ｖ系であると判断し、ＡＤ変換値が１５０［ｄｅｃ］より大きければ交流電源４１は２００Ｖ系であると判断する。なお、本実施例のスイッチング電源２７及び入力電圧検知回路７７等の構成は、適宜変更が可能であり、本実施例に記載した内容に限定するものではない。
【００３３】
（ＡＣ／ＤＣコンバータ６１）
図４（ａ）は、ＡＣ／ＤＣコンバータ６１の具体的な回路構成を示している。図４（ａ）は、本実施例のＡＣ／ＤＣコンバータ６１の回路図であり、ＡＣ／ＤＣコンバータ６０と同じフライバック電源である。ＡＣ／ＤＣコンバータ６０との違いは、ＡＣ／ＤＣコンバータ６１は倍電圧回路を有している点である。ここでは、ＡＣ／ＤＣコンバータ６１の倍電圧回路の動作についてのみ説明を行い、その他の回路動作の説明は省略する。
【００３４】
交流電源４１から供給された交流電圧は、ダイオードブリッジ８０及び一次平滑コンデンサ８１、８２によって整流、平滑され、概略一定の電圧Ｖｐとなる。この電圧Ｖｐは、トランス８４の一次巻線８４ａを介してＦＥＴ８５に供給される。駆動回路８３によりＦＥＴ８５がスイッチング動作することにより、トランス８４の二次巻線８４ｂにパルス電圧が誘起される。トランス８４の二次巻線８４ｂに誘起されたパルス電圧は、二次側整流ダイオード８６及び二次側平滑コンデンサ８７によって、整流、平滑され、所定の電圧Ｖｍとなり、負荷８８（例えば、モータなどのアクチュエータの負荷）に供給される。
【００３５】
また、一次平滑コンデンサ８１、８２の接続点は、リレー８９を介してダイオードブリッジ８０と交流電源４１との間に接続されている。リレー８９は、ＣＰＵ２６により駆動される。ＣＰＵ２６は、トランジスタ９２のベース端子にハイレベルの信号を出力してトランジスタ９２を駆動することで、フォトカプラ９５内のＬＥＤを発光させる。抵抗９６はフォトカプラ９５内のＬＥＤに流れる電流を制限するための抵抗である。フォトカプラ９５内のＬＥＤが発光すると、フォトカプラ９５内のフォトトランジスタがオン状態となり、リレー８９のコイルに電流が流れてリレー８９の接点が導通する構成となっている。リレー８９のコイル側の電源電圧Ｖｄは、例えばＡＣ／ＤＣコンバータ６０のトランス６５に補助巻線（不図示）を設け、補助巻線から得られた電圧を電源電圧Ｖｄとして使用することができる。
【００３６】
スイッチ手段としてのトライアック７８は、ＡＣ／ＤＣコンバータ６１をオン又はオフするためのスイッチであり、本実施例ではトライアックを用いている。ＣＰＵ２６は、駆動回路７９を介してトライアック７８をオン又はオフしている。なお、トライアック７８の駆動回路７９の回路構成は、図２（ａ）で示したトライアック４４の駆動回路と同じであるため、ここでは説明を省略する。ここで、図４（ａ）にリレー８９を導通させない場合、即ち倍電圧制御を行わない場合の電流経路を太い実線及び破線で示す。また、図４（ｂ）に交流電源４１の交流電圧の波形を、図４（ｃ）に倍電圧制御を行わない場合の一次平滑コンデンサ８１、８２の両端にかかる電圧Ｖｐの波形を示す。横軸は、いずれも時間である。なお、図４（ｃ）の点線で示す波形は、交流電源４１の交流電圧を整流した後の波形を示す。図４（ｃ）では、交流電源４１の波形をダイオードブリッジ８０で全波整流し、一次平滑コンデンサ８１、８２で平滑した直流電圧Ｖｐが生成されている。ここで、交流電源４１の電圧の実効値Ｖｉｎと生成される直流電圧Ｖｐの関係は前述した式（３）の関係となる。
【００３７】
図５（ａ）にリレー８９を導通させた場合、即ち倍電圧制御を行う場合の電流経路を太い実線及び破線で示す。また、図５（ｂ）に交流電源４１の交流電圧の波形を、図５（ｃ）に一次平滑コンデンサ８１の両端にかかる電圧Ｖｃ１の波形を、図５（ｄ）に一次平滑コンデンサ８２の両端にかかる電圧Ｖｃ２の波形を、それぞれ示す。更に、図５（ｅ）に一次平滑コンデンサ８１、８２の両端にかかる電圧Ｖｐの波形を示す。図５（ｂ）〜図５（ｅ）の横軸はいずれも時間である。図５（ｃ）、図５（ｄ）の点線で示す波形は、交流電源４１の交流電圧を整流した後の波形を示す。図５（ｅ）の点線で示す波形は、図５（ｃ）、図５（ｄ）の点線で示す波形をあわせたものである。図５（ａ）の電流経路で示すように、交流電源４１の交流電圧の波形をダイオードブリッジ８０で半波整流し、それぞれの一次平滑コンデンサ８１、８２で平滑した直流電圧が一次平滑コンデンサ８１、８２の両端の電圧Ｖｃ１、Ｖｃ２となる。つまり、交流電源４１の交流電圧に倍電圧制御を行った結果、一次平滑コンデンサ８１、８２の両端に生成される直流電圧Ｖｐは次式（７）の関係となる。
Ｖｐ＝Ｖｃ１＋Ｖｃ２      ・・・（７）
ここで、電圧Ｖｃ１及び電圧Ｖｃ２は、交流電源４１の電圧実効値Ｖｉｎを用いて、概略次式（８）及び（９）が成り立つ。
Ｖｃ１＝√２×Ｖｉｎ      ・・・（８）
Ｖｃ２＝√２×Ｖｉｎ      ・・・（９）
よって、倍電圧制御を行うことにより概略次式（１０）が成り立つ。
Ｖｐ＝Ｖｃ１＋Ｖｃ２＝２×√２×Ｖｉｎ      ・・・（１０）
【００３８】
［定着装置のタイプ判別、電圧検知、倍電圧の切り替え処理］
（定着装置のタイプ判別処理）
次に、図６（ａ）のフローチャートを用いて、本実施例の定着装置１７のタイプ判別、交流電源４１の電圧検知、倍電圧の切り替えの流れを説明する。図６（ａ）は、本実施例のＣＰＵ２６による定着装置１７のタイプ判別の流れを示すフローチャートである。なお、ＲＡＭ２６ｂの定着装置１７のタイプ判別に関する情報は、初期値は「定着装置タイプ情報なし」の情報が格納されているものとする。ステップ（以下、Ｓとする）８０１でＣＰＵ２６は、本体の電源がオン（ＯＮ）か否かを判断し、本体の電源がオンでないと判断した場合にはＳ８０１の処理を繰り返し、本体の電源がオンであると判断した場合にはＳ８０２の処理に進む。Ｓ８０２でＣＰＵ２６は、定着装置１７が装着されているか否かを判断する。上述したように、ＣＰＵ２６は、プルアップ抵抗３９を介してＰ６端子に入力される信号に基づいて、定着装置１７が装着されているか否かを判断する。
【００３９】
Ｓ８０２でＣＰＵ２６は、定着装置１７が装着されていると判断した場合、Ｓ８０３で定着装置１７のタイプ判別を実行する。ＣＰＵ２６は、上述したように、定着装置１７内に抵抗５８が実装されていれば１００Ｖ系に適合する定着装置であると判断し、抵抗５８が実装されていなければ２００Ｖ系に適合する定着装置であると判断する。Ｓ８０４でＣＰＵ２６は、Ｓ８０３で判断した定着装置１７の種類に関する情報であるタイプ判別の結果（タイプ情報ともいう）を、記憶手段であるＲＡＭ２６ｂに格納する。Ｓ８０５でＣＰＵ２６は、ＲＡＭ２６ｂの「定着装置タイプ情報なし」の情報をクリアする。一方、Ｓ８０２でＣＰＵ２６は、定着装置１７が装着されていないと判断した場合、Ｓ８０６でＲＡＭ２６ｂに「定着装置タイプ情報なし」の情報を格納する。
【００４０】
（交流電源の電圧検知処理）
図６（ｂ）は、本実施例のＣＰＵ２６による交流電源４１の電圧検知の流れを示すフローチャートである。Ｓ８１１の処理は、図６（ａ）のＳ８０１の処理と同じであり、説明を省略する。Ｓ８１２でＣＰＵ２６は、入力電圧検知回路７７による交流電源４１の電圧検知を実行する。上述したように、ＣＰＵ２６は、Ａ／Ｄポートに入力された電圧をＡＤ変換したＡＤ変換値に基づいて交流電圧の電圧検知を行う。ＣＰＵ２６は、ＡＤ変換値が閾値１５０［ｄｅｃ］より大きければ交流電源４１は２００Ｖ系であると判断し、閾値１５０［ｄｅｃ］以下であれば交流電源４１は１００Ｖ系であると判断する。Ｓ８１３でＣＰＵ２６は、Ｓ８１２で検知した結果をＲＡＭ２６ｂに格納する。
【００４１】
［倍電圧の切り替え処理］
図７は、本実施例のＣＰＵ２６の倍電圧切り替えの流れを示すフローチャートである。なお、図７は、図６（ａ）の定着装置１７のタイプ判別処理と図６（ｂ）の交流電圧の電圧検知処理が完了した後に実行される処理であり、既に本体の電源はオンされていることを前提として記載している。Ｓ８２１でＣＰＵ２６は、ＲＡＭ２６ｂに「定着装置タイプ情報なし」の情報が格納されていないか否かを判断する。Ｓ８２１でＣＰＵ２６は、ＲＡＭ２６ｂに「定着装置タイプ情報なし」の情報が格納されていないと判断した場合、即ち、定着装置１７が装着されている場合、Ｓ８２２の処理に進む。Ｓ８２２でＣＰＵ２６は、ＲＡＭ２６ｂ内に格納されている定着装置１７のタイプ判別の結果と交流電源４１の電圧検知の結果の両方を確認し、それら両方の結果が共に１００Ｖ系を示しているか否かを判断する。より詳細には、ＣＰＵ２６は、定着装置１７が１００Ｖ系の交流電源に適合した機種であり、且つ、検知した交流電圧が１００Ｖ系であるか否かを判断する。
【００４２】
Ｓ８２２でＣＰＵ２６は、定着装置１７のタイプ判別の結果と交流電源４１の電圧検知の結果の両方が共に１００Ｖ系を示していると判断した場合、Ｓ８２３の処理に進む。Ｓ８２３でＣＰＵ２６は、ＡＣ／ＤＣコンバータ６１のリレー８９を導通させて、ＡＣ／ＤＣコンバータ６１の動作を倍電圧制御に切り替える。一方、Ｓ８２２でＣＰＵ２６は、定着装置１７のタイプ判別の結果と交流電源４１の電圧検知の結果の両方が共に１００Ｖ系を示していると判断できない場合、Ｓ８２４の処理に進む。なお、Ｓ８２４の処理に進む場合としては、定着装置１７のタイプ判別の結果と交流電源４１の電圧検知の結果の両方が共に２００Ｖ系の示している場合がある。また、定着装置１７のタイプ判別の結果と交流電源４１の電圧検知の結果とが一致しない場合、即ち、１００Ｖ／２００Ｖでミスマッチが生じた場合がある。また、Ｓ８２１でＣＰＵ２６は、ＲＡＭ２６ｂに「定着装置タイプ情報無し」の情報が格納されている、即ち本体に定着装置１７が装着されていない場合にも、Ｓ８２４の処理に進む。Ｓ８２４でＣＰＵ２６は、リレー８９を導通させず、ＡＣ／ＤＣコンバータ６１の動作を倍電圧制御に切り替えない。なお、Ｓ８２４でＣＰＵ２６は、ＡＣ／ＤＣコンバータ６１の動作を全波整流に切り替えているともいえる。Ｓ８２５でＣＰＵ２６は、トライアック７８をオンにしてＡＣ／ＤＣコンバータ６１を起動させる。即ち、ＡＣ／ＤＣコンバータ６１へ交流電圧の供給が開始される。
【００４３】
なお、本実施例では、図７に記載しているように、倍電圧制御の切り替え判断は、Ｓ８２５でＡＣ／ＤＣコンバータ６１を起動する前に行っている。これは、ＡＣ／ＤＣコンバータ６１の起動後も、交流電源４１の電圧を検知しながら倍電圧切り替え判断を継続的に行った場合に生じる誤動作リスクを低減するためのものである。
【００４４】
以上説明したように、本実施例では、交流電源４１の電圧検知の結果と、定着装置１７のタイプ判別の結果の両方の結果に基づいて倍電圧の切り替え判断を行う。このため、回路の複雑化やコストアップをすることなく、交流電源４１の電圧の誤検知に対する堅牢性を高めることができる。以上、本実施例によれば、ユニバーサル電源を簡易に構成し、コストダウンを図りつつ、堅牢性を高めることができる。
【実施例２】
【００４５】
実施例１では、定着装置１７が本体に装着されていない場合、交流電源４１の電圧検知の結果によらず、倍電圧制御を行わない構成である（図７のＳ８２１  Ｎ、Ｓ８２４）。本実施例では、本体に過去に装着された定着装置の中で最も直近に装着された、言い換えれば最新の定着装置１７のタイプ情報を記憶手段である不揮発性メモリ２６ｃに格納することにより制御するものである。
【００４６】
（定着装置のタイプ判別処理）
次に、図８のフローチャートを用いて、本実施例の定着装置１７のタイプ判別、倍電圧の切り替えの流れを説明する。なお、本実施例の交流電源４１の電圧検知の流れは、図６（ｂ）で説明した実施例１と同じであるため、説明は省略する。図８（ａ）は、本実施例のＣＰＵ２６による定着装置１７のタイプ判別の流れを示すフローチャートである。なお、図８（ａ）のＳ８０１〜Ｓ８０５の処理は、図６（ａ）と同じであるため、説明を省略する。本実施例において、図６（ａ）と異なるところは、Ｓ９０６、Ｓ９０７の処理である。Ｓ８０２でＣＰＵ２６は、本体に定着装置１７が装着されていないと判断した場合、Ｓ９０６で不揮発性メモリ２６ｃに格納されている定着装置のタイプ情報を読み出し、読み出した定着装置のタイプ情報をＲＡＭ２６ｂに格納（データコピー）する。
【００４７】
また、ＣＰＵ２６は、定着装置１７が本体に装着されている場合には、Ｓ８０４で定着装置１７のタイプ判別の結果であるタイプ情報をＲＡＭ２６ｂに格納する処理に加え、Ｓ９０７の処理を行う。即ち、Ｓ９０７でＣＰＵ２６は、更に、定着装置１７のタイプ判別の結果であるタイプ情報を、不揮発性メモリ２６ｃにも格納しておく。これらの処理によって、本体に装着された定着装置の中で、直近の、言い換えれば最新の定着装置のタイプ情報を、Ｓ９０６の処理に用いることが可能となる。
【００４８】
［倍電圧の切り替え処理］
図８（ｂ）は、本実施例のＣＰＵ２６の倍電圧切り替えの流れを示すフローチャートである。図８（ｂ）も実施例１と同様に、既に本体の電源はオンされていることを前提として記載している。本実施例では、定着装置１７が装着されていない場合であっても、過去に装着されていた定着装置の中で最も新しく装着された定着装置のタイプ情報がＲＡＭ２６ｂに格納されている。このため、実施例１の図７のＳ８２１の判断処理が、本実施例では行われない。また、本実施例のＳ９１１〜Ｓ９１４の処理は、図７のＳ８２２〜Ｓ８２５の処理と同様の処理であるため、説明を省略する。なお、Ｓ９１１で参照している定着装置のタイプ情報は、定着装置が装着されていない場合には定着装置が装着されていたときの最新の情報を用いていることとなる。
【００４９】
以上説明したように、本実施例では、不揮発性メモリ２６ｃに記憶されている直前に装着された定着装置１７のタイプ情報を倍電圧切り替え制御の判断に用いている。これにより、定着装置１７が本体に装着されていない場合でも、実施例１と同様に、回路の複雑化やコストアップをすることなく、交流電源４１の電圧の誤検知に対する堅牢性を高めることができる。以上、本実施例によれば、ユニバーサル電源を簡易に構成し、コストダウンを図りつつ、堅牢性を高めることができる。
【実施例３】
【００５０】
実施例２では、不揮発性メモリ２６ｃを利用することで、定着装置１７が本体に装着されていない場合でも、実施例１と同様に倍電圧制御の切り替え制御が可能である構成について説明した。本実施例では、本体に定着装置１７が装着されておらず、且つ、不揮発性メモリ２６ｃにも直前に装着された定着装置１７のタイプ情報が記憶されていない場合の処理について説明する。
【００５１】
（定着装置のタイプ判別処理）
図９は、本実施例のＣＰＵ２６による定着装置１７のタイプ判別の流れを示すフローチャートである。Ｓ１００１〜１００５の処理は、図８（ａ）のＳ８０１〜Ｓ８０４、Ｓ９０７の処理と同様であり説明を省略する。Ｓ１００２でＣＰＵ２６は、定着装置１７が装着されていないと判断した場合、Ｓ１００７で不揮発性メモリ２６ｃに定着装置１７のタイプ情報が格納されているか否かを判断する。Ｓ１００７でＣＰＵ２６は、不揮発性メモリ２６ｃに定着装置１７のタイプ情報が格納されていると判断した場合、Ｓ１００８の処理に進む。なお、Ｓ１００８の処理は、図８（ａ）のＳ９０６の処理と同様であり、説明を省略する。Ｓ１００５、Ｓ１００８の処理の後、Ｓ１００６でＣＰＵ２６は、ＲＡＭ２６ｂに格納された「定着装置タイプ情報なし」の情報をクリアする。
【００５２】
Ｓ１００７でＣＰＵ２６は、不揮発性メモリ２６ｃに定着装置１７のタイプ情報が格納されていないと判断した場合には、Ｓ１００９の処理に進む。Ｓ１００９でＣＰＵ２６は、ＲＡＭ２６ｂに「定着装置タイプ情報なし」の情報を格納する。なお、本実施例の、交流電源４１の電圧検知の処理、及び倍電圧切り替えの処理は実施例１と同じであるため、説明は省略する。
【００５３】
以上説明したように、本実施例では、定着装置１７が装着されておらず、更に、不揮発性メモリ２６ｃにも直前に装着された定着装置１７のタイプ情報が記憶されていない場合には、倍電圧制御を行わないようにできる。このため、実施例１と同様に、回路の複雑化やコストアップをすることなく、交流電源４１の電圧の誤検知に対する堅牢性を高めることができる。以上、本実施例によれば、ユニバーサル電源を簡易に構成し、コストダウンを図りつつ、堅牢性を高めることができる。
【実施例４】
【００５４】
実施例１〜３では、スイッチング電源２７を２つのＡＣ／ＤＣコンバータ６０及び６１で構成している。本実施例では、スイッチング電源２７を１つのＡＣ／ＤＣコンバータで構成した場合について説明する。
【００５５】
［スイッチング電源］
（ＡＣ／ＤＣコンバータ）
図１０（ａ）は、本実施例のスイッチング電源２７の構成を示すブロック図である。電源回路及び第一の変換手段であるＡＣ／ＤＣコンバータ９０は、図４（ａ）で示したＡＣ／ＤＣコンバータ６１と同様に第一の直流電圧である所望の電圧Ｖｍ（＞Ｖｃ）を生成するＡＣ／ＤＣコンバータである。ＡＣ／ＤＣコンバータ９０は、倍電圧切り替え回路（リレー８９）を有している（図４（ａ）参照）。更に、ＡＣ／ＤＣコンバータ９０は、図３（ａ）で示したＡＣ／ＤＣコンバータ６０と同様の入力電圧検知回路７７を有している。そして、第二の変換手段であるＤＣ／ＤＣコンバータ９１は、ＡＣ／ＤＣコンバータ９０が生成した所望の電圧Ｖｍから、第二の直流電圧である所望の電圧Ｖｃを生成する構成となっている。なお、ＡＣ／ＤＣコンバータ９０の構成は、図４（ａ）のＡＣ／ＤＣコンバータ６１の構成からトライアック７８、駆動回路７９を削除した構成を前提に、トランス８４の二次側に入力電圧検知回路７７（図３（ａ））を有する構成である。このため、回路の詳細な説明は省略する。
【００５６】
本実施例では、交流電源４１の交流電圧が供給されると、ＡＣ／ＤＣコンバータ９０、ＤＣ／ＤＣコンバータ９１が連動して起動される構成となっている。また、本実施例の所望の電圧Ｖｍ及びＶｃの用途は、実施例１の電圧Ｖｍ及びＶｃｃと同じである。本実施例では、倍電圧切り替え回路を有するＡＣ／ＤＣコンバータ９０を起動させないと、交流電源４１の電圧検知、更に、所望の電圧Ｖｃを電源とするＣＰＵ２６による定着装置１７のタイプ判別ができない。このため、ＡＣ／ＤＣコンバータ９０を起動した後でないと、ＣＰＵ２６による倍電圧切り替えの判断ができない。
【００５７】
また、ＡＣ／ＤＣコンバータ９０は、交流電源４１が１００Ｖ系のときに倍電圧切り替えを行わない場合、図４（ａ）に示した電圧Ｖｐが低くなる。つまり、ＡＣ／ＤＣコンバータ９０を倍電圧制御に切り替えた場合に比べて、所望の電圧Ｖｍを出力し続けることができる負荷電流値が低下する。このため、本体が画像形成動作（例えば、モータなどのアクチュエータ動作）において消費する消費電流では、所望の電圧Ｖｍを出力し続けることができない。しかし、ＣＰＵ２６及びその周辺回路（定着装置１７のタイプ判別の回路など）が消費する程度の低消費電流であれば、所望の電圧Ｖｃを出力し続けることが可能である。
【００５８】
［倍電圧の切り替え処理］
次に、本実施例の倍電圧切り替えの流れを図１０（ｂ）のフローチャートを用いて説明する。なお、交流電源４１の電圧検知、及び、定着装置１７のタイプ判別の流れについては、実施例１〜３で説明した処理で代用可能であるため、ここでは説明を省略する。なお、Ｓ１２０１の処理は図６（ａ）のＳ８０１等と同様であり、説明を省略する。Ｓ１２０２でＣＰＵ２６は、リレー８９を導通させないことでＡＣ／ＤＣコンバータ９０の動作を倍電圧制御に切り替えないようにする。Ｓ１２０３でＣＰＵ２６は、実施例１で説明した交流電源４１の電圧検知処理を実行し、Ｓ１２０４で実施例１〜３で説明した定着装置１７のタイプ判別処理を実行する。
【００５９】
Ｓ１２０５でＣＰＵ２６は、ＲＡＭ２６ｂ内に格納されている定着装置１７のタイプ情報と交流電源４１の交流電圧が共に１００Ｖ系を示しているか否かを判断する。Ｓ１２０５でＣＰＵ２６は、定着装置１７のタイプ情報と交流電源４１の交流電圧が共に１００Ｖ系を示していると判断した場合、Ｓ１２０６の処理に進む。Ｓ１２０６でＣＰＵ２６は、リレー８９を導通させてＡＣ／ＤＣコンバータ９０の動作を倍電圧制御に切り替える。一方、Ｓ１２０５でＣＰＵ２６は、定着装置１７のタイプ情報と交流電源４１の交流電圧が共に１００Ｖ系を示しているとは判断できない場合、倍電圧切り替え処理を終了する。即ち、ＣＰＵ２６は、定着装置のタイプ情報及び電圧検知の検知結果が共に２００Ｖ系を示している場合、また、各々の検知結果が１００Ｖ／２００Ｖで一致しない場合には、Ｓ１２０２の状態、即ち倍電圧制御に切り替えない状態を保つ。
【００６０】
以上説明したように、本実施例では、交流電源４１が１００Ｖ系のときにＡＣ／ＤＣコンバータ９０の倍電圧切り替えを行わなくても交流電源４１の電圧検知、及び、定着装置１７のタイプ判別を行うことができる。即ち、スイッチング電源２７が１つのＡＣ／ＤＣコンバータ９０から構成される場合であっても、交流電源４１の電圧検知の結果と、定着装置１７のタイプ判別の結果の両方の結果に基づいて、倍電圧切り替え判断処理を行う。このため、回路の複雑化やコストアップをすることなく、交流電源４１の電圧の誤検知に対する堅牢性を高めることができる。以上、本実施例によれば、ユニバーサル電源を簡易に構成し、コストダウンを図りつつ、堅牢性を高めることができる。
【００６１】
なお、上述した実施例では、定着装置のタイプ情報に基づいて１００Ｖ系／２００Ｖ系を判別しているが、脱着可能で１００Ｖ系／２００Ｖ系で適合機種が異なるような装置のタイプ情報に基づいて判断してもよい。この場合も、定着装置と同様に抵抗の装着／未装着でタイプ判別を行う。
【符号の説明】
【００６２】
１７              定着装置
２６              ＣＰＵ
４１              交流電源
６０、６１        ＡＣ／ＤＣコンバータ
７７              入力電圧検知回路
【図１】
2015203754.tif 000003
【図２】
2015203754.tif 000004
【図３】
2015203754.tif 000005
【図４】
2015203754.tif 000006
【図５】
2015203754.tif 000007
【図６】
2015203754.tif 000008
【図７】
2015203754.tif 000009
【図８】
2015203754.tif 000010
【図９】
2015203754.tif 000011
【図１０】
2015203754.tif 000012